【事件の表示】
　特願２０００−３７４１００「携帯無線端末」拒絶査定不服審判事件〔平成１３年　８月　３日出願公開、特開２００１−２１１４６９〕について、次のとおり審決する。
【結　論】
　本件審判の請求は、成り立たない。
【理　由】
１．手続の経緯・本願発明
 　本願は、平成４年１月１７日に出願した特願平４−６５４０号の一部を平成１２年１２月８日に新たな特許出願としたものであって、その請求項１に係る発明は、平成１６年９月２日付けの手続補正により補正された特許請求の範囲の請求項１に記載されたとおりの次のものと認める。（以下、「本願発明」という。）
　
「音声情報を含む無線信号を受信する受信手段と、前記受信した音声情報を復調する復調手段と、前記復調された音声情報を複数記憶する記憶手段と、前記記憶手段に記憶されている音声情報の件数を含めて表示する表示手段と、前記記憶されている音声情報の再生処理を開始する操作手段と、前記記憶されている音声情報のどの音声情報を再生するかを選択する選択手段と、前記選択された音声情報を出力する出力手段とを有し、
　前記操作手段により声情報の再生処理の開始がなされた場合に、前記記憶手段に音声情報が全く記憶されていないときには、音声情報が記憶されていないことを示す文字を前記表示手段に表示して再生処理を終了し、前記記憶手段に音声情報が記憶されてるときには、前記表示手段に前記記憶手段に音声情報が記憶されている件数を表示し、前記選択手段によりどの音声情報を再生するかを選択し、当該選択された音声情報を前記出力手段から出力することを特徴とする携帯無線端末。」
　
２．各引用例記載の発明
　（１）これに対して、当審において平成１６年７月１日付けで通知した拒絶の理由に引用した特開平３−３２１２３号公報（平成３年２月１２日出願公開、以下「引用例１」という。）には、図面と共に次の事項が記載されている。
　
　Ａ．「電話回線を利用して装置携帯者を呼び出すために個別呼出し番号を持つ携帯用の情報受信装置において、
　特定の呼出し番号を受信すると、装置携帯者に受信したことを知らせる手段と、
　送信者からの音声の内容を記憶する手段と、装置携帯者からの要求によりその記憶内容を再生する手段とを有することを特徴とする情報受信装置。」（１頁左下欄、特許請求の範囲より抽出）
　
　Ｂ．「 「産業上の利用分野」
　この発明は、いわゆるポケットベルなどに適用して好適な携帯用の情報受信装置に関し、特に送信者からの呼出しがあったときには、送信者の音声を記憶、再生できるようにしたものである。
「従来の技術」
　近年、電話回線を利用したサ−ビスの一環として、いわゆるポケットベルを使用したユ−ザサ−ビスが普及し始めている。
　このユ−ザサ−ビスは、不在のとき情報受信装置を呼出し、呼出しがあることを受信すると、呼出し音（受信確認音）を発し、装置携帯者に知らせるようにしたものである。
　この他に、発信者からのメッセ−ジを装置本体に表示するものもある。
［発明が解決しようとする課題］
　呼出し音のみを発するタイプのものでは、どこの誰から呼出しがあったかを確認できないので、その確認作業が面倒である。
　メッ−ジを表示できるタイプのものでは、呼出し者の電話番号の他に、メッセ−ジ（装置が持っている固定的なメッセ−ジ）を表示できるようになっているが、これは簡単なメッセ−ジのみを表示できるだけであるから、十分なメッセ−ジ機能は果たせない。そのため、どのような要件があったのか、その要件は至急なのかなどの情報を伝達する機能としては、不十分である。
　そこで、この発明はこのような点を考慮したものであって、発信者のメッセ−ジを十分に伝達できる機能を有した情報受信装置を提案するものである。
［課題を解決するための手段］
　上述した課題を解決するため、この発明では、電話回線を利用して装置携帯者を呼び出すために個別呼出し番号を持つ携帯用の情報受信装置において、
　特定の呼出し番号を受信すると、装置携帯者に受信したことを知らせる手段と、
　送信者からの音声の内容を記憶する手段と、装置携帯者からの要求によりその記憶内容を再生する手段とを有することを特徴とするものである。
［作用］
　装置携帯者に対して呼出しがあると、呼出し音が鳴る。次に、発信者からのメッセ−ジがあると、その内容が記憶される（第２図参照）。装置携帯者は呼出し音で、自己への発信を確認できる。
　操作部３４でデ−タ再生を指定すると、ＲＡＭ３２に記憶されていた指定のメッセ−ジが再生される（第３図参照）。これで、発信者のメッセ−ジを確認できる。」（１頁左下欄１７行〜２頁右上欄７行）
　
　Ｃ．「［実　施　例］
　続いて、この発明に係る情報受信装置の一例を第１図以下を参照して詳細に説明する。
第１図はこの発明の情報受信装置１０の一例を示すもので、発信者からのメッセ−ジを記憶、再生する機能を有する。
　呼び出すべき特定の人が不在のときには、電話回線を利用して伝達された発信者のメッセ−ジは、無線回線を用いて装置携帯者（受信者）に伝達される。
　すなわち、アンテナ１２で受信した信号は受信信号の処理部１４でＦＭ復調、波形整形処理などの信号処理が実行されたのち、後続する信号処理の関係で、−旦Ａ／Ｄ変換器１６でディジタル信号に変換される。このディジタル信号中より呼出し番号を表わす識別コ−ドが制御部２０に供給される。
　制御部２０は図のように、ＣＰＵ２２の他に、各種の制御プログラムが格納されたプログラムＲＯＭ２４及び信号処理を行なうワ−クＲＡＭ２６を有する。
　呼出し番号は、その受信装置固有の識別番号であって、この呼出し番号は一旦ワ−クＲＡＭ２６にストアされたのち、受信装置固有の識別番号との一致、不一致が判別される。呼出し番号との一致が確認されると、制御部２０から発信部２８に駆動信号が送られてスピ−カ３０が駆動されて呼出し音が鳴る。これで、装置携帯者は、自己への発信であることを聴覚的にしかも、確実に確認できる。
　発信者より呼出し信号に続いてメッセ−ジがある場合には、音声デ−タ記憶手段であるＲＡＭ３２がライトイネ−ブル状態に制御され、メッセ−ジが所定のエリヤにストアされる。
　メッセ−ジを記憶できる長さは、ＲＡＭ３２の容量によっても相違するが、１つのメッセ−ジに対しては１０〜１５秒程度が適当である。
　操作部３４は記憶されたメッセ−ジを再生し、その内容を確認するときに使用する。操作部３４から制御部２０に対して再生の指示が与えられると、ＲＡＭ３２に記憶されたメッセ−ジは一旦ワ−クＲＡＭ２６に転送されて、これがストアされ、その後これが読み出されてＤ／Ａ変換器３６でアナログの音声信号に変換され、そして、アンプ３８を経てイヤホ−ン４０で特定のメッセ−ジが再生される。
　したがって、受信者は発信者のメッセ−ジの内容を、詳細に確認できる。
　操作部３４より指示がない限り一度記憶された内容は保持されるが、ＲＡＭ３２の容量が一杯になったり、不要になったメッセ−ジは操作部３４からの指示に従い一件づつ消去できる。 」（２頁右上欄８行〜同頁右下欄１９行）
　
　Ｄ．「第２図は、上述した処理を実現するための受信処理ル−チン５０のフロ−チャ−トであって、情報受信装置１０に対する呼出しがあったときには、装置本体に内蔵された識別番号とこの呼出し番号との確認処理が実行され、番号の確認がとれたときには、呼出し音を発信して、受信者に対して発信の確認が行なわれる（ステップ５２，５４）。
　その後、メッセ−ジの記憶処理がなされ、次にＲＡＭ３２のメモリ容量の状態が判別され、メモリフルの状態のときには、再び発信部２８が駆動されて警告音が発信される（ステップ５６〜６０）。
　この警告音は、上述した呼出し音とは異なるもので、メロディ−、音色などを換えることによって、呼出し音なのか、警告音なのかを容易に識別できるように工夫されている。この警告音を発することによって、ＲＡＭ３２のデ−タを消去したりする作業を受信者に促すことができる。 」（２頁右下欄２０行〜３頁左上欄１７行）
　
　Ｅ．「第３図はメッセ−ジの再生処理ル−チン７０の一例であって、操作部３４からのキ−人力があると、まずＲＡＭ３２にストアされているデ−タの有無が確認され、デ−タがあるときには、ストアされているデ−タのうち、何件目のデ−タを読み出すのかが、操作部３４のテンキ−を使用して指示される（ステップ７２，７４）。
　次に、操作部３４で指定されたデ−タ（メッセ−ジ）が読み出されて、これが再生される（ステップ７６）。再生されたデ−タの再利用は、キ−入力の有無で判別し、その指定がないときには、他のデ−タを再生するかどうかがチエックされ、指定があるときには、ステップ７４に戻り、同様な処理を繰り返す（ステップ７８，８０）。
　上述した構成には、装置内に表示部がないが、液晶などの表示素子を使用して、これに送信者の電話番号、名前などの回線入力情報を表示することもできる。 」（３頁左上欄１８行〜同頁右上欄１５行）
　
　Ｆ．「 「発明の効果」
　以上より明らかなように、この発明では、発信者のメッセ−ジをそのまま記憶して、必要なときにこれを再生することができるようにしたものである。
　これによれば、発信者が電話をかけてきた理由、その具体的な要件、緊急の有無などを、発信者の肉声をもつて伝達できるから、特定の人が不在でもその人に、必要かつ十分な内容を伝達できる特徴を有する。
　したがって、ポケットベルなどの情報受信装置に適用して極めて好適である。」（３頁右上欄１６行〜同頁左下欄７行）
　
　上記の事項Ａ〜Ｆ、及び第１〜３図の記載事項によると、上記引用例１には、
　
　ポケットベルなどに適用して好適なものであり、送信者からの呼出しがあったときには、送信者の音声を記憶、再生できるようにした携帯用の情報受信装置において、
　無線により伝達される発信者のメッセージ信号を受信するアンテナ１２と、アンテナ１２で受信した信号をＦＭ復調、波形整形処理する受信信号処理部１４と、受信信号処理部１４で処理された信号をディジタル信号に変換するＡ／Ｄ変換器１６と、受信した音声メッセージデータを複数件記憶しておく音声データ記憶用ＲＡＭ３２と、ＣＰＵ２２の他に、各種の制御プログラムが格納されたプログラムＲＯＭ２４及び信号処理を行なうワ−クＲＡＭ２６を有する制御部２０と、液晶などの表示素子を使用した情報を表示するための表示部と、記憶された音声メッセ−ジを再生し、その内容を確認するときに使用され、制御部２０に対して再生の指示が与えられる操作部３４と、操作部３４から制御部２０に対して、再生の指示が与えられると、ＲＡＭ３２に記憶されてデータの有無が確認され、ＲＡＭ３２に記憶されているデータが無いときには、再生処理は終了し、ＲＡＭ３２に記憶されているデータが有るときには、ＲＡＭに記憶されてい音声メッセージデータのうち、何件目のデータを読み出すのかが、操作部３４により指示され、再生される音声メッセージデータを指定する指示が与えられと、ＲＡＭ３２から指定された音声メッセージデータが読み出され、その音声メッセージデータをアナログの音声信号に変換するＤ／Ａ変換器３６と、そのアナログの音声信号を増幅するアンプ３８と、アンプ３８を経たメッセージを再生するイヤホーン４０とを備えたことを特徴とする携帯用の情報受信装置。
　
という発明（以下、引用例１記載の発明という。）が記載されていると認められる。
　
　（２）同じく拒絶の理由に引用した特開平３−２４５６２１号公報（平成３年１１月１日出願公開、以下、引用例２という。）には、「無線通信装置」に関し、図面と共に次の事項が記載されている。
　
　Ｇ．「 ［産業上の利用分野］
　本発明は、例えば選択呼出受信機のように、送信側から送られたメッセ−ジ情報を受信し、その受信メッセ−ジ情報をメモリに記憶する機能を備えた無線通信装置に関する。」（２頁左上欄３〜７行）
　
　Ｈ．「また前記実施例では、メッセ−ジメモリ１０の空き領域が零になったことのみを検出してその旨を報知するようにしたが、メッセ−ジメモリ１０に記憶されている受信メッセ−ジの数を常時検出してその検出値を表示するようにしてもよい。第５図はこの場合の制御手順の一例を示すものである。尚、同図において前記第２図と同一部分には同一符号が付してある。すなわち、制御回路は呼出待機状態において、ステップ２ａで自機の受信期間になっていないと判定され、かつステップ２ｂで表示スイッチ１１は押されていないと判定されると、ステップ５ａに移行してここでメッセ−ジメモリ１０に記憶中の受信メッセ−ジ数を検出する。そして、この検出値をステップ５ｂでＬＣＤ９に表示させる。この様にすれば、所持者はメッセ−ジメモリ１０に受信メッセ−ジが全く記憶されていない状態から満杯の状態まで、メッセ−ジメモリ１０の記憶状況を随時知ることが可能となる。」（６頁左上欄第１１行〜同頁右上欄９行）
　
　上記Ｇ、Ｈ及び第１〜５図の記載事項によると、上記引用例２には、
　選択呼出受信機のように、送信側から送られたメッセ−ジ情報を受信し、その受信メッセ−ジ情報をメモリに記憶する機能を備えた無線通信装置において、受信されメッセージメモリに記憶されている受信メッセージの数を検出し、この検出値をＬＣＤに表示させることにより、所持者がメッセ−ジメモリに受信メッセ−ジが全く記憶されていない状態から満杯の状態まで、メッセ−ジメモリの記憶状況を随時知ることができるようにする、という技術が記載されており、そして、ＬＣＤに表示させるものは受信メッセージの数の検出値であり、かつ、所持者がメッセ−ジメモリに受信メッセ−ジが全く記憶されていない状態をも知ることができるようにするものであり、数量が全くないことを表現する数値として「０」があることは自明であるので、受信メッセージが無い場合に、無いことを表現する数値であるところの「０」という数字をＬＣＤに表示することにより、受信メッセージが無い状態を所持者に知らしめることが開示されているものと認められる。
　
　（３）同じく拒絶の理由に引用した特開平２−７７２９号公報（平成２年１月１１日出願公開、以下、引用例３という。）には、「表示器付き選択呼出無線受信機」に関し、図面と共に次の事項が記載されている。
　Ｉ．「 １ブロックは受信したメッセ−ジデ−タを記憶するメッセ−ジメモリ、前期メモリしたメッセ−ジを自動消去されないように保護する保護メモリ、前期メモリしたメッセ−ジが一度も受信確認されていない有無を記憶する未確認メモリから少なくとも成る記憶手段、前期メッセ−ジメモリの内容をリコ−ル時点に呼出して表示するメッセ−ジ表示手段から構成される表示器付き選択呼出無線受信機において、前期記憶手段は複数個のブロックを備え、前期記憶手段のメモリ使用状況を１ブロック毎に、前期メッセ−ジ表示手段により表示するメモリ使用状況表示手段を備えたことを特徴とする表示器付き選択呼出無線受信機。」（１頁左下欄７〜２０行）
　
　Ｊ．「第５図はインデックスセットのフロ−チャ−トである。
インデックスセットは１２個のメッセ−ジメモリの状況を格納する処理を行う。メッセ−ジが無い状態（デ−タ”Ｃ”）、メッセ−ジが有る状態（デ−タ”Ａ”）、メッセ−ジが保護状態（デ−タ”Ｂ”）の３状態をセットする。　・・・（中略）・・・そしてメッセ−ジ有フラグ（アドレス１ＡＣＨ）をセットする（ステップ６６）。このデ−タ”Ａ”は、ＬＣＤパネルの７セグメント形のａ，ｂ，ｆ，ｇセグメントを点灯（ロ）させるものである。もし、メッセ−ジＮｏ．１が無い時には、デ−タ”Ｃ”のままである。このデ−タ”Ｃ”は、７セグメント形のｇセグメントを点灯（−）させるものである。」（４頁右上欄１行〜同頁左下欄１８行）
　
　Ｋ．「第７図は表示器の実施例である。（Ａ）図はインデックス表示を示したものである。メッセ−ジは８個格納されており、その内３個（Ｎｏ．１０，１１，１２）はプロテクトされており、メモリの空スペ−スが４個ある」（５頁左上欄１９行〜同頁右上欄３行）
　
　上記Ｉ〜Ｋ及び第７図（ａ）の記載事項によると、上記引用例３には、受信したメッセージデータを記憶する記憶手段を備え、前記記憶手段は複数個のブロックを備え、前記記憶手段のメモリ使用状況を１ブロック毎に、７セグメント形表示器からなるメッセージ表示手段に表示するメモリ使用状況表示手段を備えた表示器付き選択呼出無線受信機において、受信したメッセージデータが記憶手段に記憶されていないときには、記憶手段の各ブロックに対応させて前記７セグメント形表示器のｇセグメントを点灯（−）する、すなわち、ハイフン、あるいはマイナスという文字に相当する表示を行い、メッセージデータが記憶手段の各ブロックに記憶されていないことを所有者に知らせる技術が開示されており、前記記憶手段にメッセージデータが全く記憶されていないときには、全ブロックの表示器に、記憶されていないことを示す”−”が表示されるものと認められる。
　
３．対比
　そこで、本願発明と引用例１記載の発明とを比較すると、
　引用例１記載の発明の「携帯用の情報受信装置」は、無線により音声メッセージを受信するものであるので本願発明の携帯無線端末に相当しており、両者は、共に、無線信号で音声情報を受信する携帯無線端末として共通している。
　また、引用例１記載の発明の「アンテナ１２、受信信号処理部１４、及びＡ／Ｄ変換部１６」、「音声データ記憶用ＲＡＭ３２」、「表示部」、「操作部３４及び制御部２０」、「Ｄ／Ａ変換部３６、増幅アンプ３８、及びイヤホーン４０」は、それぞれ、本願発明の「受信手段及び復調手段」、「音声情報を複数記憶する記憶手段」、「表示手段」、「操作手段及び選択手段」、「音声情報を出力する出力手段」に相当している。
　してみると両者は、
　
　音声情報を含む無線信号を受信する受信手段と、前記受信した音声情報を復調する復調手段と、前記復調された音声情報を複数記憶する記憶手段と、情報を表示する表示手段と、前記記憶されている音声情報の再生処理を開始する操作手段と、前記記憶されている音声情報のどの音声情報を再生するかを選択する選択手段と、前記選択された音声情報を出力する出力手段とを有し、
　前記操作手段により声情報の再生処理の開始がなされた場合に、前記記憶手段に音声情報が全く記憶されていないときには、再生処理を終了し、前記記憶手段に音声情報が記憶されているときには、前記選択手段によりどの音声情報を再生するかを選択し、当該選択された音声情報を前記出力手段から出力することを特徴とする携帯無線端末
の点で一致する。
　
　ただ、以下の点において、両者の間に相違が認められる。
　
＜相違点１＞
　本願発明においては、操作手段により声情報の再生処理の開始がなされた場合に、記憶手段に音声情報が全く記憶されていないときには、音声情報が記憶されていないことを示す文字を表示手段に表示するのに対して、引用例１記載の発明においては、音声情報が記憶されていないことを示す文字を表示手段に表示することは開示されていない点。
　
＜相違点２＞
　操作手段により声情報の再生処理の開始がなされた場合に、記憶手段に音声情報が記憶されており、選択手段によりどの音声情報を再生するかを選択するときに、本願発明においては、表示手段に記憶手段に音声情報が記憶されている件数を表示するのに対して、引用例１記載の発明においては、記憶手段に記憶されている音声情報の件数を表示することについては明らかではない点。
　
４．当審の判断
　そこで、上記各相違点について検討する。
　
＜相違点１について＞
　受信し記憶されたメッセージが無いことを文字で表示装置に表示し、使用者に知らしめることは、周知（要すれば、上記引用例２（特開平３−２４５６２１号公報）、上記引用例３（特開平２−７７２９号公報）、及び特開平４−９５２号公報（特に、２頁右上欄５行〜同頁右下欄１２行、及び第２図（ａ））、を参照。）であり、
　また、携帯無線端末において、操作者が特定の処理の実行を指示する操作を行い処理が開始された場合に、その処理結果について、操作者に知らしめるように、「ありません」、「メッセージを消去しました。」等の応答メッセージを文字として、携帯無線端末に設けられた表示装置に表示することは、周知（要すれば、実願昭６３−１６８９６９号（実開平２−９０５５８号）のマイクロフィルム（特に、１７頁１４行〜２０頁１４行、第６図）、特開平２−１０７０２７号公報（特に、第３Ｆ図における「データがない旨を表示」という記載）、実願昭６２−１４９３８３号（実開昭６４−５４４３７号）のマイクロフィルム（特に、３０頁１２行〜３１頁６行）、を参照。）である。
　そして、引用例１には、上記２（１）Ｅのごとく、操作部３４からのキー入力があると、メッセージの再生処理ルーチンが開始され、ＲＡＭ３２に記憶されている音声メッセージデータの有無が確認されることが開示されているのであるから、記憶されている音声メッセージデータが無い場合に、再生指示操作の応答メッセージとして、再生対象となる音声情報が全く無いことを操作者に知らしめるように、音声メッセージデータが記憶されていないことを示す文字を表示手段に表示することは、当業者であれば容易に想到し得たことである。
　
＜相違点２について＞　
　受信し記憶されたメーセージの件数を表示装置に表示し、使用者に知らしめることは、周知（要すれば、上記引用例２（特開平３−２４５６２１号公報、上記特開平４−９５２号公報（特に、２頁右上欄５行〜同頁右下欄１２行、及び第２図（ａ）〜（ｃ））、を参照。）であり、また、情報処理装置において、記憶手段に複数の情報ファイルが記憶されており、その内の１つの情報ファイルを選択する場合には、記憶手段に記憶されている情報のファイル番号など、記憶手段に記憶されている情報が何件あるかの表示を行い、そのファイル番号から前記記憶手段に記憶されている複数の情報のうち任意の１つを選択することは、周知（要すれば、上記拒絶理由通知に引用した文献（特開平２−１５５３６７号公報、特開昭６０−２０７９５０号公報）を参照。）である。
　そして、上記引用例１には、上記２（１）Ｅに示したごとく「第３図はメッセ−ジの再生処理ル−チン７０の一例であって、操作部３４からのキ−入力があると、まずＲＡＭ３２にストアされているデ−タの有無が確認され、デ−タがあるときには、ストアされているデ−タのうち、何件目のデ−タを読み出すのかが、操作部３４のテンキ−を使用して指示される」という記載があるので、引用例１記載された発明において、記憶手段に記憶されている複数の音声情報のうち再生する音声情報を選択する際に、使用者が選択指示操作をやりやすくするために、表示手段に記憶手段に音声情報記憶されているの件数を表示することは、当業者であれば容易に想到し得たことである。
　
　また、本願発明の効果も、当業者であれば当然に予想できる範囲内のものであり、格別なものではない。　
　
５．むすび
　以上のとおりであるから、本願発明は、上記引用例１記載の発明及び周知技術に基いて当業者が容易に発明をすることができたものと認められ、特許法第２９条第２項の規定により特許を受けることができない。
　よって、上記結論のとおり審決する。